(57)【要約】【課題】異高の複数種の板材に対して、これに適合する寸法の合紙を的確にセットすることが可能で、しかも、合紙が板材間に偏在して板材同士を接触させる不良合紙を生じない板材用合紙セット装置を提供すること。【解決手段】横方向に積付けられる各板材の間へ相互を離隔させる合紙を挟入する板材の合紙セット装置であって、この合紙セット装置Ａは、巻取原紙１を解き出して、合紙のセット位置２へ必要寸法の合紙３が給送されると停止する原紙の解き出し手段ｂと、給送された合紙３の上端を保持して、その上側で切断機４が合紙３と原紙１を切り離すと、昇降手段５で下降されて、合紙３を積付け手段６で積台７へ積付けられる前後の板材８の間に収まらせ、上記合紙３が積付けられた前後の板材８に挟まれると、昇降手段５で元位置へ上昇復帰される合紙の保持部材９とを備えさせたこと。【選択図】図１
2006056675.tif 000002
【特許請求の範囲】
【請求項１】
横方向に積付けられる各板材の間へ相互を離隔させる合紙を挟入する板材の合紙セット装置であって、
この合紙セット装置は、巻取原紙を解き出して、合紙のセット位置へ必要寸法の合紙が給送されると停止する原紙の解き出し手段と、
給送された合紙の上端を保持して、その上側で切断機が合紙と原紙を切り離すと、昇降手段で下降されて、合紙を積付け手段で積台へ積付けられる前後の板材の間に収まらせ、
上記合紙が積付けられた前後の板材に挟まれると、昇降手段で元位置へ上昇復帰される合紙の保持部材とを備えさせた
ことを特徴とする板材の合紙セット装置。
【請求項２】
請求項１における原紙の解き出し手段に、送りロールの手前側で解き出される原紙に作用して、この原紙に巻取りによって生じたカールを除去するカール除去手段を設けた
ことを特徴とする板材の合紙セット装置。
【発明の詳細な説明】
【技術分野】
【０００１】
本発明は、立て並べる各板材の間へ合紙を挟み入れる板材の合紙セット装置に関する。
【背景技術】
【０００２】
従来、保持台（１）に立て掛け姿勢で保持された前の板ガラス（Ａ）と、コンベヤ（３）で送り込まれて立姿勢となる後の板ガラス（Ａ）との間に適宜寸法に切断された紙（９）を供給する給紙装置（１０）を配設した板状体の自動積付け装置は知られている。（例えば特許文献１）
【特許文献１】実開昭５４−７１４３８０号公報（第２頁）
【０００３】
しかしながら上記板状体の自動積付け装置は、図面に示す通り、保持台（１）の上方に一対のコンベヤよりなる給紙装置（１０）を定設し、給紙装置（１０）の下側の定位置に三角形で示す切断刃を定置したものである。従って、特定した高さの板材に対して合紙をセットすることはできるが、板材の高さが変わると、これに応じて合紙のセット条件を変化さる手段を備えないため、異なる高さの複数種類の板材に対して合紙セットを行なうことは不可能であって、しかも、合紙の切り落とし構造を採用するため、前後のガラス板に隙間があるとき合紙が切り落とされると、合紙は隙間の下側へ撓み込んで、この部分に折り重なって挟まれ、上側ではガラス板同士が接触する不良挟紙の状態になる問題点を有する。
【発明の開示】
【発明が解決しようとする課題】
【０００４】
本発明は、合紙の上端を保持して昇降することで板材の間へ合紙をセットし、セットされた合紙が板材に挟まれると合紙を離して復元するセット手段を採用することにより前記問題点を解消して、異高の複数種の板材に対して、これに適合する寸法の合紙を的確にセットすることが可能であって、しかも、合紙が板材間に偏在して板材同士を接触させる不良合紙を生ずることが皆無となる板材の合紙セット装置を提供することをその課題とする。
【課題を解決するための手段】
【０００５】
本発明に係る板材の合紙セット装置は、前記課題を解決するため、以下の構成を採用することを特徴とする。
【０００６】
請求項１の発明は、横方向に積付けられる各板材の間へ相互を離隔させる合紙を挟入する板材の合紙セット装置であって、この合紙セット装置は、巻取原紙を解き出して、合紙のセット位置へ必要寸法の合紙が給送されると停止する原紙の解き出し手段と、給送された合紙の上端を保持して、その上側で切断機が合紙と原紙を切り離すと、昇降手段で下降されて、合紙を積付け手段で積台へ積付けられる前後の板材の間に収まらせ、上記合紙が積付けられた前後の板材に挟まれると、昇降手段で元位置へ上昇復帰される合紙の保持部材とを備えさせたこと。
【０００７】
請求項２の発明は、請求項１における原紙の解き出し手段に、送りロールの手前側で解き出される原紙に作用して、この原紙に巻取りによって生じたカールを除去するカール除去手段を設けたこと。
【発明の効果】
【０００８】
請求項１の効果  原紙の巻取りから必要寸法の合紙が解き出されると、その上端を保持部材に保持させて原紙より切り離し、保持部材を下降させて合紙を立て並べられる前後の板材の間に収まらせ、後の板材が前の板材に重ねられて合紙を挟むと、保持部材を合紙を離して元位置へ戻らせるので、高さに長短差がある複数種類の板材に対しても合紙をその無駄が最小の状態で的確にセットすることができて、しかも、合紙を保持部材に保持させてから原紙より切断し、板材に挟まれてから保持部材より離すことにより、合紙が板材で挟まる前に落ちて、板材の間に撓み込むために合紙不良を生ずることがないものである。
【０００９】
請求項２の効果  巻取から解き出される原紙に巻き癖のカールが生じたとき、巻き癖の修正手段を係合させると、原紙はカールとは反対の扱き力を加えられるため、カールを除かれた真っ直ぐな状態で板材の間へ収まり、板材の全面が相互接触することがない確実な合紙セットを可能とする。
【発明を実施するための最良の形態】
【００１０】
以下に本発明に係る板材の合紙セット装置の実施形態を図面に基づいて説明する。
【実施例１】
【００１１】
図１において符号Ａは、板材の合紙セット装置を示す。この合紙セット装置Ａは、巻取原紙１を解き出して、合紙のセット位置２へ必要寸法の合紙３が給送されると停止する原紙の解き出し手段ｂと、給送された合紙３の上端を保持して、その上側で切断機４が合紙３と原紙１を切り離すと、昇降手段５で下降されて、合紙３を積付け手段６で積台７へ積付けられる前後の板材８の間に収まらせ、上記合紙３が積付けられた前後の板材８に挟まれると、昇降手段５で元位置へ上昇復帰される合紙の保持部材９とを備える構成としてある。
【００１２】
原紙の解き出し手段ｂは、巻取原紙１を支持する一対のチャック１０と、巻取原紙１を周面駆動して解き出す駆動ベルト１１と、解き出される原紙１を挟んで回転し、原紙の定速度給送を行なう一対の送りロール１２，１３と、ロール１２，１３で給送される原紙１を合紙のセット位置２へ導くガイド板１４と、巻取原紙１と送りロール１２,１３との間に配置した原紙の誘導ロール１５,１６とで構成される。
【００１３】
巻取原紙１を支持する一対のチャック１０は、巻取原紙１の巾の変化に応じて対応間隔を調整する必要がある。このため、スタンド部１０ａをベース１７に固定した水平ガイド１８に移動自在に支持させ、更に、スタンド部１０ａには雌ねじ１９を付設して、この雌ねじ１９に両端を軸受２０に支持させた送りねじ２１を螺合させ、該送りねじ２１をモータ２２で一方へ回転させると、一対のフレーム１９が外方へ移動するため、チャック１０の対応間隔は広がって、図４に実線で示す通り巾が広い巻取原紙１を支持する。しかし、送りねじ２１を他方へ回転させると、フレーム１９が内方へ移動するため、チャック１０の対応間隔は狭まって、図４に鎖線で示す通り巾が狭い巻取原紙１を支持する。
【００１４】
巻取原紙１を周面駆動する駆動ベルト１１は、巻取原紙１との接触状態を原紙１の直径の変化に関係なく一定させるため、可動フレーム２３に支持させる。この可動フレーム２３は、その一端を図２に示す通り、ベース１７上へ立設したフレーム２４へ軸２５により取り付け、他端には軸２６を支持させてあって、これら軸２５と軸２６の中央部及び両側には、ベルト車２７、２８を取り付け、これらベルト車２７と２８に駆動ベルト１１を掛け渡して、各駆動ベルト１１の下側の一部分を巻取原紙１の周面へ接触させ、駆動ベルト１１を回転させると巻取原紙１が周面駆動されるようにする。
【００１５】
解き出された原紙１の定速度給を行わせる送りローラ１２と１３は、ベース１７の後端側に設けたフレーム２９に支持される固定の軸受３０と、上下動可能な軸受３１とに軸３２及び軸３３を支持させて、上下動する軸受３１をシリンダ等の加圧手段３４で加圧させることで、送りローラ１２と１３とで原紙の挟圧移送が行われるようにする。
【００１６】
上記駆動ベルト１１と送りローラ１２，１３とは、送りローラ１２，１３側を駆動ベルト１１側よりも若干速く回転させて、原紙１に適当なテンションが与えられるようにする必要がある。このため、送りローラ１２の軸３２をモータ３５で駆動するとともに、軸３２と駆動ベルト１１を掛けたベルト車２７の軸２５とにベルト車３６と３７を取付けて
、これ等ベルト車３６と３７に伝動ベルト３８を綾掛けにし、送りロール１２、１３と駆動ベルト１１とが常に上記した速度差で回転されるようにする。
【００１７】
上記送りローラ１２，１３と合紙３のセット位置２との間に設けるガイド板１４は、図２等に示す通り、先下がり斜面に形成して、後端側に原紙１を切断する切断機４の受刃３９を、図３及び図５に示す通りに設ける。
【００１８】
原紙の切断機４は、図５に示す通りガイド板１４の後端側にホルダー４０を設けて、このホルダー４０に一対の水平ガイド４１を設け、これらガイド４１に回転刃４２を備える往復盤４３を係合させ、この往復盤４３を送りねじ４４で一方から他方、他方から一方へとガイド４１に案内させて移動させると、回転刃４２に連係するピニオン４５がホルダー４０に固定したラック４６で回転されるため、回転刃４２が受刃４０と噛み合った状態で回転して原紙１の鋏断を行なう。
【００１９】
また、巻取原紙１と送りローラ１２，１３との間に設ける誘導ロール１５，１６は、ベース１７に取り付けたフレーム４７に支持されて原紙１の通過路に位置し、巻取原紙１から解き出された原紙１を送りローラ１２，１３へ誘導する。
【００２０】
送りロール１２，１３と誘導ロール１６との間には、原紙１の巻き癖によるカールを除去する除去部材４８を設ける。この除去部材４８は、図８に示す通りの細い円軸等を用いて、この円軸等を原紙１と直交するように配置た支持体４９に支持させることにより、加圧手段５０で原紙１へ押し付けると、原紙１を巻き癖で生じたカールとを反対の方向へ扱いてカールを除去し、原紙１を直線状に修正することができる。しかし、細い円軸等の除去部材４８は、自重による中間部分の垂れ下がりや、原紙との接触による中間部分の上反りを生ずるため、支持体４９には除去部材４７に磁力を作用させて垂れ下りを防止する磁石５１と、除去部材４７の上周面を受けて上方へ反るのを防止する一対のローラ５２とを取り付ける。
【００２１】
更に、原紙１の解き出し手段ｂは、送りロール１２の軸３２に図３に示す通りエンコーダー等の回転検知器５３を取り付け、この回転検知器５３で送りロール１２の回転数を検知させて、回転数が設定した値に達すると、公知の制御器で解き出し手段ｂを停止させて、高さが異なる複数種類の板材に適合する複数種類の合紙寸法の設定が自動的に行われるようにする。
【００２２】
原紙１から解き出された合紙３を保持する保持部材９は、解き出し手段ｂに於けるガイド板１４の終端に近接配置するものであって、図５（ａ）に示す通り水平に設けられる中空バーを用い、中空部５４を排気装置（図面省略）に接続し、バー９の合紙３に接触する部分には、中空部５４に通じる吸引孔５５を散在するように設け、合紙のセット位置２へ必要寸法の合紙３が給送されて停止すると、合紙３の上端を吸着保持する構成としてあり、その下部には合紙３の給送を安定させるガイド片５６を付設してある。
【００２３】
また、合紙３の保持部材９は、図６（ｂ）に示す通り、静止と可動の挟みロール９ａと９ｂと操作手段（図面省略）で接離させる構造として、可動ロール９ｂを固定ロール９ａから離隔させれば、両者の間を通して合紙３の給送が行なわれる。しかし、可動ロール９ｂを固定ロール９ａへ接触させると、合紙３は両者に挟まれて保持されることになる。なお、上記挟みロール９ａと９ｂは、図６（ｃ）に示す通りの挟み板９ｃと９ｄに変換しても挟みロール９ａ，９ｂと同様の作用効果が得られる。
【００２４】
上記保持部材９を昇降させる昇降手段５は、保持部材９の後方へガイド板１４と平行する斜めの腕５７を張り出させて、この腕５７の先端部にベース１７より垂下させた垂直ガイド５８へ係合する係合部５９を設け、この係合部５９の中央に雌ねじ６０を設けて、垂直ガイド５８に支持させた送りねじ６１を螺合させる。そして、上記送りねじ６１をモータ６２で一方へ回転させると、保持部材９が下降されて支持する合紙３を前後の板材８の間へ収まらせる合紙３のセットを行い、合紙３が板材８の間に挟まれてから、送りねじ６１を他方へ回転させると、保持部材９は合紙３を置いて上昇し元の位置へ復帰する。
【００２５】
また、保持部材９を昇降させる昇降手段５は、送りねじ６１に図７に示す通りエンコーダー等の回転検知器６３を取り付け、この回転検知器６３で送りねじ６１の回転数を検知させて、この回転数が設定値に達したとき、公知の制御器で送りねじ６１を停止させることにより、合紙の移動距離を任意に自動設定することができるようにする。
【００２６】
板材８の積付けを行なう積台７は、図１、図１０、図１１に示す通り、合紙セット位置２の床上に設けたものであって、板材８を立てて横積みにするため、断面をＬ型をなすように形成して、板材８が送り込まれる都度、板材８の厚さ分ずつ横送りする構造（図面省略）で受台６４と連係させるようにして、積台７に積付けられた前の板材８と、取り込まれる後の板材８との間を、常に、合紙３の給送位置へ正対させるようにする。
【００２７】
板材８の積台７へ板材８を積付ける積付け手段６は、図１、図１０、図１１に示す通り、水平ガイド６５に支持されて、このガイド６５を往復移動する往復体６６へ昇降杆６７で昇降自在に支持させ、往復体６６がガイド６７を前工程へ移動したとき板材８を掴み上げ、往復体６６がガイド６５を積台７の上方へ移動するときは、板材８を積台７の上ヘ降ろし、板材８が合紙３を挟んで前の板材８へ積付けられると、板材８を離して往復体６６の移動で前工程へ次の板材８を取り込みに行く。従って、このときは原紙１の解き出しで合紙のセット部２へ次の合紙３が給送されるようにする。
【００２８】
尚、この装置Ａは、使用中の巻取原紙１がなくなれば、直ちに新しい巻取原紙１と交換するため、作動中の巻取原紙１の下に次の巻取原紙１の搬入台車６９を受け入れる昇降テーブル７０を設けて置く。そして、使用中の巻取原紙１がなくなれば、チャック１０を開いて空心を外して、レール７１に案内させて搬入台車６９を昇降テーブル７０の上へ移動させ、昇降機７２で昇降テーブル７０を上昇させると搬入台車６９に支持される巻取原紙１の巻心がチャック１０に合うので、このときチャック１０を閉じてこれに巻取原紙１を支持させ、昇降テーブル７０をレール７１に合うように下降させて搬入台車６９を待機位置に戻せば、巻取原紙１の交換を容易迅速に行なえる。
【００２９】
上記構成の板材用合紙セット装置Ａは、積台７へ図１０（ａ）（ｂ）（ｃ）（ｄ）に示す通り高さＨ１の板材８を横に積付けるときは、原紙の解き出し手段ｂによる原紙の解き出しが、合紙３の保持部材９より下へ板材８の高さに掴み代を加えたＬ１だけ解き出されたとき停止するように制御され、昇降手段５による合紙の保持部材９の下降が、合紙３の下端と積台７との離隔寸法ｌ１だけ移動したとき停止するように制御され、また、板材８の積付け手段６は、積台７へ前の板材８を積付けて、後の板材８を取りに戻るときに原紙１の解き出し手段ｂを始動させる制御が行われるようにして置く。こうすれば、板材８の積付け手段６が積台７へ前の板材８を積付けて、後の板材８を取りに戻ると、解き出し手段ｂが巻取原紙１を解き出して保持部材９より下へＬ１の合紙を給送して停止する。すると、保持部材９が合紙３の上端を保持し、切断機４は保持部材９の上側で合紙３を原紙１より切り離す。このとき、昇降手段５は保持部材９を合紙３の下端が積台７へ接する状態まで下降させるので、合紙３は前の板材８と送られてくる後の板材８との間へ、図１０（ｂ）に示す通り下端を積台７へ接するように挿し入れられ、後の板材８が前の板材８へ図１０（ｃ）に示す通り積付けられると、前の板材と後の板材８に挟み付けられてセットを終るものであり、このセットは合紙３が前後板材８の各部を完全隔離して、板材８同士の接触を生じさせない完璧な合紙となる。
【００３０】
また、積台７へ図１１（ａ）（ｂ）（ｃ）（ｄ）に示す通り、高さがＨ２の板材８を横に積付けるときは、原紙の解き出し手段ｂによる原紙の解き出しが合紙３の保持部材９より下へ板材８の高さに掴み代を加えたＬ２だけ解き出されたとき停止するように制御され、昇降手段５により合紙３の保持部材９の下降が、合紙３の下端と積台７との離隔寸法ｌ１だけ移動したとき停止するように制御され、また、板材８の積付け手段６は、積台７へ前の板材８を積付けて、後の板材８を取りに戻るときに原紙１の解き出し手段ｂが作動を開始するようにすれば、原紙１の解き出しで給送される合紙３の寸法は減少し、合紙３を保持して下降する保持部材９の移動範囲が増大するように作動状態が変化するが、合紙３の給送と、保持後の切断、保持状態での下降による板材８間への合紙３のセットは前記同様に行なわれて、高さＨ２の板材８の間へ寸法Ｌ２の合紙３をセットする操作も的確に行われる。
【００３１】
更に、この合紙セット装置Ａは、解き出し手段ｂによって給送される合紙３の寸法と、合紙３を保持して昇降手段５で昇降される保持部材９の昇降範囲とは任意に設定することができるので、前記した高さＨ１の板材８と、高さＨ２の板材８との中間的な高さを有する幾種類もの板材に対しても適合する長さの合紙を的確にセットすることが出来るだけでなく、幅の異巻取原紙１を交換使用すれば、巾が異なる幾種類もの板材８に対する合紙セットも的確に行われる。
【産業上の利用可能性】
【００３２】
板材を横方向へ積付けるとき、各板材の間へ合紙を挟入する合紙セットを高さが異なる複数種類の板材に対して的確に行うのに利用できる。
【図面の簡単な説明】
【００３３】
【図１】本発明に係る板材の合紙セット装置の基本構成を示す側面図。
【図２】板材の合紙セット装置における原紙の解き出し手段の構造を示す中央縦断側面図。
【図３】同上の平面図。
【図４】原紙解き出し手段における原紙の支持構造を示す拡大正面図。
【図５】原紙解き出し手段における原紙の切断機の構造を示す拡大断面図。
【図６】（ａ）（ｂ）（ｃ）は合紙の保持部材の３例の構造を示す拡大断面図。
【図７】合紙の保持部材を昇降させる昇降手段の拡大側面図。
【図８】原紙のカール除去手段を示す拡大側面図。
【図９】同上の一部分の正面図。
【図１０】（ａ）（ｂ）（ｃ）（ｄ）は高さが高い板材に対する合紙のセット状態を示す説明図。
【図１１】（ａ）（ｂ）（ｃ）（ｄ）は高さが低い板材に対する合紙のセット状態を示す説明図。
【符号の説明】
【００３４】
Ａ  板材の合紙セット装置
１  巻取原紙
ｂ  巻取原紙の解き出し手段
２  合紙のセット位置
３  合紙
４  切断機
５  昇降手段
６  板材の積付け手段
７  積台
８  板材
９  板材の保持部材
【図１】
2006056675.tif 000003
【図２】
2006056675.tif 000004
【図３】
2006056675.tif 000005
【図４】
2006056675.tif 000006
【図５】
2006056675.tif 000007
【図６】
2006056675.tif 000008
【図７】
2006056675.tif 000009
【図８】
2006056675.tif 000010
【図９】
2006056675.tif 000011
【図１０】
2006056675.tif 000012
【図１１】
2006056675.tif 000013